【事件の表示】
　特願２００１−１６５４６３「盤面飾り取付構造及び当該盤面飾り取付構造を備えた遊技機」拒絶査定不服審判事件〔平成１４年１１月２６日出願公開、特開２００２−３３６４３１〕について、次のとおり審決する。
【結　論】
　本件審判の請求は、成り立たない。
【理　由】
１．手続の経緯
　本願は、平成１３年５月１４日に出願した特願２００１−１４３６１７号の一部を平成１３年５月３１日に新たな特許出願としたものであって、平成１６年８月１６日付けで拒絶査定がなされ、これに対し、同年９月２２日に拒絶査定に対する審判請求がなされるとともに、同年１０月２０日付けで手続補正がなされたものである。
　　　　　　　　　　　　　　　　　　　　　　　　　　　　　　　　　
２．平成１６年１０月２０日付けの手続補正（以下、「本件補正」という。）について
　　　　　　　　　　　　　　　　　　　　　　　　　　　　　　　　　
［補正却下の決定の結論］　
　平成１６年１０月２０日付けの手続補正を却下する。
　　　　　　　　　　　　　　　　　　　　　　　　　　　　　　　　　
［理由］
　本件補正により、特許請求の範囲の請求項１は、
「遊技盤の表面に盤面飾りが取り付けられる盤面飾り取付構造であって、
　前記遊技盤の表面には、
　発射された遊技球を案内するガイドレールと、
　前記盤面飾りを取り付けるための複数の取付孔とが設けられ、
　前記盤面飾りの裏面には前記取付孔に嵌合する複数の凸部が設けられ、
　当該複数の凸部の内の一つである第一の凸部が、前記盤面飾りの長手方向端部近傍に設けられ、且つ、前記盤面飾りの裏面側への前記第一の凸部の突出量が他の凸部よりも長く成型され、
　前記第一の凸部が、前記遊技盤上の複数の取付孔の内の一つに嵌合され、前記盤面飾りが前記第一の凸部を支点として回転され、当該盤面飾りの側面が前記ガイドレールの端部に当接して前記ガイドレールの端部を押圧し、且つ前記第一の凸部以外の他の凸部が前記取付孔に嵌合されることで、前記盤面飾りが前記遊技盤に取り付けられることを特徴とする盤面飾り取付構造。」と補正された。
　　　　　　　　　　　　　　　　　　　　　　　　　　　　　　　　　
　上記補正は、請求項１に記載した発明を特定するために必要な事項である「前記ガイドレールの端部に当接し」について、「前記ガイドレールの端部に当接して前記ガイドレールの端部を押圧し」と限定するものであって、平成１８年改正前の特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前の特許法第１７条の２第５項において準用する同法第１２６条第５項の規定に適合するか）について以下に検討する。
　　　　　　　　　　　　　　　　　　　　　　　　　　　　　　　　　
（１）引用発明
　原査定の拒絶の理由に引用された本願の出願前に頒布された刊行物、及び例示された周知例（以下、「刊行物等」という。）は、以下のとおりである。
　刊行物１：特開平６−１２６０２４号公報
　刊行物２：実願昭４７−１２１６９１号（実開昭４９−１３６１０９号）　　　　　　の願書に添付した明細書及び図面の内容を撮影したマイクロ　　　　　　　フィルム
　周知例　：特公平３−２７９１号公報
　　　　　　　　　　　　　　　　　　　　　　　　　　　　　　　　　
　そして、上記の刊行物等には、それぞれ次の発明が記載されている。
　　　　　　　　　　　　　　　　　　　　　　　　　　　　　　　　　
(i) 刊行物１：特開平６−１２６０２４号公報
　特開平６−１２６０２４号公報には以下の記載がある。
1-a「遊技盤の前面に装着したガイドレールの外側に該ガイドレールを囲うように取り付けられ、取付本体と該取付本体の前面に重合される装飾カバーとにより構成されるランプ飾りであって、該ランプ飾りの右側下部の内側に前記ガイドレールに沿い適宜長さの切欠部を形成し、該切欠部にガイドレールの外側を囲う補助部材を着脱自在に装着し得るようにしたことを特徴とするパチンコ機用ランプ飾り。」（特許請求の範囲の請求項１）
1-b「６は前面枠２の裏面に着脱自在に取り付けられた遊技盤で、その前面には発射された打球を遊技盤６面に導くガイドレール７が装着され・・・るものである。」（段落【０００９】）
1-c「１６は前記パチンコ機Ａ又はパチンコ式組合せゲーム機Ｂに適用されるランプ飾りであり、各遊技盤６前面の右側部全体及び左上側部に位置し、かつガイドレール７の外側に該ガイドレール７を囲うように取り付けられている。
　更に詳しくは、図４に示すように該ランプ飾り１６は前記各側部に位置する第１ランプ飾り１６ａと第２ランプ飾り１６ｂとに分離して形成され、第１ランプ飾り１６ａの上部左側端部に断部１７を形成すると共に該断部１７にダボ１８を突設し、一方第２ランプ飾り１６ｂの上部右側端部にダボ穴１９を設け、前記ダボ１８をダボ穴１９に嵌入することにより両ランプ飾り１６ａ，１６ｂを連結するようにしている。」（段落【００１１】）
1-d「各第１，２ランプ飾り１６ａ，１６ｂは図３乃至図５に示すように平板状の取付本体２０ａ，２０ｂとこれら取付本体２０ａ，２０ｂの前面に重合される装飾カバー２１ａ，２１ｂ及び装飾カバー２１ｃとにより大略構成され、第１ランプ飾り１６ａの内側はガイドレール７の外側面に沿うように円弧状に形成されている。」（段落【００１２】）
1-e「各取付本体２０ａ，２０ｂは不透明な合成樹脂により形成されると共に外周壁２２を設けて底部を開放する枠状に形成される。また、各取付本体２０ａ，２０ｂの裏面には上下位置に遊技盤６に形成された複数の嵌合孔２３に合致して挿入される断面十字状の嵌合突起２４，２４…が一体に突設される。
　また、前記装飾カバー２１ａ，２１ｂと装飾カバー２１ｃはそれぞれ着色された透明な合成樹脂により形成される。その内、装飾カバー２１ａは取付本体２０ａの上部隅角部に、装飾カバー２１ｂは下部隅角部にそれぞれ重合され、また装飾カバー２１ｃは取付本体２０ｂの上部隅角部に前記装飾カバー２１ａと略対称形状に重合される。そして、各装飾カバー２１ａ，２１ｂ，２１ｃはその裏面適宜位置にねじ孔２５，２５…を設け、一方取付基板２０ａ，２０ｂには該ねじ孔２５，２５…と対応する位置に透孔２６，２６…を形成してなり、取付基板２０ａ，２０ｂの裏面から各透孔２６，２６…を介して各ねじ孔２５，２５…にビス２７をそれぞれ螺合することにより各装飾カバー２１ａ，２１ｂ，２１ｃが取付基板２０ａ，２０ｂに取り付けられる。」（段落【００１３】）    
1-f「本発明は上記構成からなり、通常のパチンコ機Ａの遊技盤６面に装着するには、補助部材３４を第１ランプ飾り１６ａの切欠部３０に当てがい、上下部の係合突子３５，３５を第１ランプ飾り１６ａ側の係合溝３１ａ，３１ｂに係合させると共に中央の嵌入突子３６，３６を一対の係合部３２，３２に挿入して固定することにより行う。そして、ガイドレール７の外側に第１ランプ飾り１６ａが装着されることになるが、補助部材３４と装飾カバー２１ｂとは同色なので不自然さを生じさせることはない。」（段落【００１７】）
　　　　　　　　　　　　　　　　　　　　　　　　　　　　　　　　　
　上記の記載によれば、刊行物１（特開平６−１２６０２４号公報）には以下の発明（以下、「引用発明１」という）が記載されていると認められる。
「遊技盤６の前面に装着したガイドレール７の外側に該ガイドレールを囲うように取り付けられ、取付本体と該取付本体の前面に重合される装飾カバーとにより構成されるランプ飾り１６であって、遊技盤６前面の右側部全体に位置する第１ランプ飾り１６ａと左上側部に位置する第２ランプ飾り１６ｂとに分離して形成され、第１ランプ飾り１６ａの内側はガイドレール７の外側面に沿うように円弧状に形成されていて、平板状の取付本体２０ａと該取付本体２０ａの前面に重合される装飾カバー２１ａ，２１ｂにより大略構成され、取付本体２０ａは外周壁２２を設けて底部を開放する枠状に形成され、裏面には上下位置に遊技盤６に形成された複数の嵌合孔２３に合致して挿入される断面十字状の嵌合突起２４，２４…が一体に突設されており、また、前記装飾カバー２１ａは取付本体２０ａの上部隅角部に、装飾カバー２１ｂは下部隅角部にそれぞれ重合されることにより取付基板２０ａに取り付けられる、パチンコ機用ランプ飾り。」
                                                                  
(ii) 刊行物２：実願昭４７−１２１６９１号（実開昭４９−１３６１０９　　　　　　　号）の願書に添付した明細書及び図面の内容を撮影したマイ　　　　　　　クロフィルム
　実願昭４７−１２１６９１号（実開昭４９−１３６１０９号）の願書に添付した明細書及び図面の内容を撮影したマイクロフィルムには以下の記載がある。
2-a「突出部、及び弾力性爪部を有する合成樹脂製取付板と、前記弾力性爪部と対応する位置に設けられた窓部を有するシャーシとより成り、前記爪部を窓部に挿入係止すると共に前記シャーシを前記突出部と爪部との間で挟持し、シャーシを堅固に固定することを特徴とするシャーシ固定装置。」（実用新案登録請求の範囲）
2-b「(1)は抵抗器、スイッチ等の調整摘子を収納する合成樹脂製コントロールボックス（シャーシ取付板）であり、該コントロールボックスの裏面上に調整軸を挿通するための透孔(2)、突出部(3)、弾力性爪部(4)、シャーシ位置決めガイド棒(5)等を複数個具備している。(6)は抵抗器、スイッチ等を取付けるためのシャーシであり、シャーシ面には前記透孔(2)、弾力性爪部(4)、及びガイド棒(5)と対応する位置に各々透孔(7)、窓部(8)、及び貫通孔(9)を備えている。」（第１頁第１７行−第２頁第６行）
2-c「先ずシャーシ(6)の貫通孔(9)にガイド棒(5)を貫通せしめてシャーシの位置決めを行い、しかる後、シャーシ(6)をコントロールボックス（シャーシ取付板）(1)に押圧せしめると・・・コントロールボックス裏面上の弾力性爪部(4)がシャーシ(6)の窓部(8)に挿入係止せられ、且つ前記裏面上の突出部(3)と爪部(4)との間でシャーシを挟持しシャーシ(6)をコントロールボックス裏面に堅固に固定することが出来る。」（第２頁第７−１５行）
　　　　　　　　　　　　　　　　　　　　　　　　　　　　　　　　　
　上記の記載によれば、刊行物２（実願昭４７−１２１６９１号（実開昭４９−１３６１０９号）の願書に添付した明細書及び図面の内容を撮影したマイクロフィルム）には、以下の発明（以下、「引用発明２」という）が記載されていると認められる。
「突出部(3)、及び弾力性爪部(4)を有する合成樹脂製取付板と、前記弾力性爪部(4)と対応する位置に設けられた窓部(8)を有するシャーシ(6)とより成り、シャーシ(6)の貫通孔(9)にガイド棒(5)を貫通せしめてシャーシの位置決めを行い、しかる後、シャーシ(6)をコントロールボックス（シャーシ取付板）(1)に押圧せしめると、コントロールボックス裏面上の弾力性爪部(4)がシャーシ(6)の窓部(8)に挿入係止せられ、且つ前記裏面上の突出部(3)と爪部(4)との間でシャーシを挟持しシャーシ(6)をコントロールボックス裏面に堅固に固定する、シャーシ固定装置。」
　　　　　　　　　　　　　　　　　　　　　　　　　　　　　　　　　
(iii) 周知例：特公平３−２７９１号公報
　特公平３−２７９１号公報には以下の技術事項が記載されている。
「長尺フイルムを巻回保持したリール２を駆動軸２１により回転駆動して前記フイルムを送り出し、巻戻すロールフイルムキヤリアにおいて、前記駆動軸２１に対する係合方式が異なるカートリツジＡ，Ｂ内の前記リール２に択一的に装着しうるカートリツジＡ用の係合部材２４またはカートリツジＢ用の係合部材２５と、前記駆動軸２１の一端に設けられ、前記各係合部材２４または２５を保持する駆動フランジ２３とを有し、該駆動フランジ２３は、連結孔（第１の凹部）４２と駆動孔（第２の凹部）４４を有しており、各係合部材２４及び２５は、連結孔（第１の凹部）４２に係入する連結軸（第１の凸部）４５、および駆動孔（第２の凹部）４４に係入する受動ピン（第２の凸部）４６を有し、連結軸（第１の凸部）４５および受動ピン（第２の凸部）４６と、連結孔（第１の凹部）４２および駆動孔（第２の凹部）４４との係合によつて駆動軸２１へ装着できるようになつており、連結軸（第１の凸部）４５の突出量を受動ピン（第２の凸部）４６の突出量より大に構成して、各係合部材２４または２５を駆動フランジ２３に組付けるに際して、駆動軸の軸心上にある長い方の連結軸（第１の凸部）４５を連結孔（第１の凹部）４２に係入することが容易であり、このとき短い方の受動ピン（第２の凸部）４６は対向する面に当接し、次いで長い方の連結軸（第１の凸部）４５を中心として係合部材２４または２５を回転させれば、係合関係を目視する必要なく１回転以内に自動的に受動ピン（第２の凸部）４６が駆動孔（第２の凹部）４４に係入し、係合部材２４または２５の駆動フランジ２３への組付けが終了する、ロールフイルムキヤリアの係合構造。」（特許請求の範囲、第２頁第４欄第２２−３６行、第３頁第５欄第１６−３１行、第４頁第７欄第２−２０行）
                                             　　　　　　　　　　　
（２）対比 
　本願補正発明と引用発明１とを対比すると以下のことがいえる。
　　　　　　　　　　　　　　　　　　　　　　　　　　　　　　　　　
(i) 引用発明１は、「遊技盤６の前面」に「取り付けられ、取付本体と該取付本体の前面に重合される装飾カバーとにより構成されるランプ飾り１６」を備えており、「取付本体」に設けた「断面十字状の嵌合突起２４，２４…」を「遊技盤６に形成された複数の嵌合孔２３」に「挿入」して「ランプ飾り１６」を「遊技盤６」に「取り付け」るものであり、該「ランプ飾り１６」は「遊技盤６前面の右側部全体に位置する第１ランプ飾り１６ａ」と、「左上側部に位置する第２ランプ飾り１６ｂとに分離して形成され」るものである。
　ここで、本願補正発明の「盤面飾り」を裏付ける技術的事項として本願の明細書及び図面を参照すると、該「盤面飾り」は「遊技盤の表面」の右側部全体に位置するものであり、引用発明１における上記「第１ランプ飾り１６ａ」は、その機能に照らして、本願補正発明における「盤面飾り」に相当している。
　以上より、引用発明１は、「遊技盤６の前面」（本願補正発明における「遊技盤の表面」に相当する。）に「第１ランプ飾り１６ａ」（「盤面飾り」）を「取り付ける」ための取付構造に関する発明であるということができ、同引用発明１は、本願補正発明を特定する「遊技盤の表面に盤面飾りが取り付けられる盤面飾り取付構造」の事項に対応する構成を備えている。
　　　　　　　　　　　　　　　　　　　　　　　　　　　　　　　　　
(ii) 引用発明１は、「遊技盤６の前面」（「遊技盤の表面」）には、「ガイドレール７」（本願補正発明における「発射された遊技球を案内するガイドレール」に相当する。）と、「第１ランプ飾り１６ａ」（「盤面飾り」）を取り付けるための「複数の嵌合孔２３」（本願補正発明における「複数の取付孔」に相当する。）とが設けられるものである。
　すなわち、同引用発明１は、本願補正発明を特定する「遊技盤の表面には、発射された遊技球を案内するガイドレールと、前記盤面飾りを取り付けるための複数の取付孔とが設けられ」の事項に対応する構成を備えている。
　　　　　　　　　　　　　　　　　　　　　　　　　　　　　　　　　
(iii) 引用発明１において、「第１ランプ飾り１６ａ」を構成する「取付本体２０ａ」の「裏面には上下位置に遊技盤６に形成された複数の嵌合孔２３に合致して挿入される断面十字状の嵌合突起２４，２４…が一体に突設され」るものであり、さらに刊行物１の特に図５を参照すると、上記した複数の「嵌合突起２４」の内の一つが、「ランプ飾り１６ａ」の長手方向端部近傍に設けられていることが見てとれる。
　すなわち、引用発明１は、「第１ランプ飾り１６ａ」（「盤面飾り」）を構成する「取付本体２０ａ」の「裏面」には「嵌合孔２３」（「取付孔」）に「挿入」（本願補正発明における「嵌合」に相当する。）する複数の「嵌合突起２４」（本願補正発明における「凸部」に相当する。）が設けられ、当該複数の「嵌合突起２４」（「凸部」）の内の一つが、前記「ランプ飾り１６ａ」（「盤面飾り」）の長手方向端部近傍に設けられ」ているといえる。
　一方、本願補正発明は、「前記盤面飾りの裏面には前記取付孔に嵌合する複数の凸部が設けられ、当該複数の凸部の内の一つである第一の凸部が、前記盤面飾りの長手方向端部近傍に設けられ、且つ、前記盤面飾りの裏面側への前記第一の凸部の突出量が他の凸部よりも長く成型され」るものであり、「前記盤面飾りの裏面には前記取付孔に嵌合する複数の凸部が設けられ、当該複数の凸部の内の一つが、前記盤面飾りの長手方向端部近傍に設けられ」ることを発明特定事項とするものである。
　そうすると、本願補正発明と引用発明１とは「前記盤面飾りの裏面には前記取付孔に嵌合する複数の凸部が設けられ、当該複数の凸部の内の一つが、前記盤面飾りの長手方向端部近傍に設けられ」の点で共通しているといえる。
　　　　　　　　　　　　　　　　　　　　　　　　　　　　　　　　　
(iv) 引用発明１は、「第１ランプ飾り１６ａの内側はガイドレール７の外側面に沿うように円弧状に形成され」ており、「第１ランプ飾り１６ａ」を構成する「取付本体」の「嵌合突起２４，２４…」を「遊技盤６」に形成された「複数の嵌合孔２３」に「挿入」することで「第１ランプ飾り１６ａ」を「遊技盤６」に取り付ける「第１ランプ飾り１６ａ」の取付構造であり、さらに刊行物１の図１ないし図３を参照すると、「遊技盤６」に取り付けられた状態で「第１ランプ飾り１６ａ」の側面が「ガイドレール７」の端部に当接されていることが見てとれる。
　すなわち、引用発明１は、「第１ランプ飾り１６ａ」（「盤面飾り」）の側面がガイドレールの端部に当接し、「複数の嵌合突起２４，２４…」（「複数の凸部」）が「複数の嵌合孔２３」（「複数の取付孔」）に「挿入」（「嵌合」）されて、前記「第１ランプ飾り１６ａ」（「盤面飾り」）が前記遊技盤に取り付けられる「第１ランプ飾り１６ａ」（「盤面飾り」）取付構造」であるといえる。
　一方、本願補正発明は、「前記第一の凸部が、前記遊技盤上の複数の取付孔の内の一つに嵌合され、前記盤面飾りが前記第一の凸部を支点として回転され、当該盤面飾りの側面が前記ガイドレールの端部に当接して前記ガイドレールの端部を押圧し、且つ前記第一の凸部以外の他の凸部が前記取付孔に嵌合されることで、前記盤面飾りが前記遊技盤に取り付けられることを特徴とする盤面飾り取付構造」であり、「当該盤面飾りの側面が前記ガイドレールの端部に当接し、複数の凸部が前記複数の取付孔に嵌合され前記盤面飾りが前記遊技盤に取り付けられる盤面飾り取付構造」を発明特定事項とするものである。
　そうすると、本願補正発明と引用発明１とは「当該盤面飾りの側面が前記ガイドレールの端部に当接し、複数の凸部が前記複数の取付孔に嵌合され前記盤面飾りが前記遊技盤に取り付けられる盤面飾り取付構造」の点で共通しているといえる。
　　　　　　　　　　　　　　　　　　　　　　　　　　　　　　　　　
　以上の事項より、本願補正発明と引用発明１とは以下の点で一致し、また、相違していると認められる。
一致点；
遊技盤の表面に盤面飾りが取り付けられる盤面飾り取付構造であって、前記遊技盤の表面には、発射された遊技球を案内するガイドレールと、前記盤面飾りを取り付けるための複数の取付孔とが設けられ、前記盤面飾りの裏面には前記取付孔に嵌合する複数の凸部が設けられ、当該複数の凸部の内の一つが、前記盤面飾りの長手方向端部近傍に設けられ、当該盤面飾りの側面が前記ガイドレールの端部に当接し、複数の凸部が前記複数の取付孔に嵌合され前記盤面飾りが前記遊技盤に取り付けられる盤面飾り取付構造、である点。
　　　　　　　　　　　　　　　　　　　　　　　　　　　　　　　　　
相違点；                             　　　　　　　　　　　　　　　
(A) 盤面飾りの長手方向端部近傍に設けられる凸部が、本願補正発明では、当該複数の凸部の内の一つである第一の凸部であり、且つ、裏面側への突出量が他の凸部よりも長く成型されるものであるのに対して、引用発明１では、裏面側への突出量が他の凸部と同じ長さである点。
 　　　　　　　　　　　　　　　　　　　　　　　　　　　　　　　　　
(B) 盤面飾りの遊技盤への取り付けが、本願補正発明では、前記第一の凸部が、前記遊技盤上の複数の取付孔の内の一つに嵌合され、前記盤面飾りが前記第一の凸部を支点として回転され、当該盤面飾りの側面が前記ガイドレールの端部を押圧し、且つ前記第一の凸部以外の他の凸部が前記取付孔に嵌合されることによるものであるのに対して、引用発明１では、盤面飾りが回転されず、盤面飾りの側面がガイドレールの端部を押圧するものではなく、複数の凸部が同時に取付孔に挿入（嵌合）されることによるものである点。　　　　　　　　　　　　　　　　　　　　　　　　　　　　　　　　　
（３）判断
　上記の相違点について検討する。
　相違点(A)について
　一方の部材に形成した複数の凸部を、他方の部材の取付孔に嵌合することで両部材を相互に固着する、部材の固着手段において、上記した複数の凸部の内の一つの凸部の裏面側への突出量を他の凸部よりも長く成型することで、当該一つの凸部を、取付孔に嵌合する際のガイドとすることは慣用的に行われており、例えば、上記引用発明２における「ガイド棒(5)」や、同じく上記周知例における「連結軸（第１の凸部）４５」は共に、取付孔に嵌合する際のガイドとして機能するものである。
　そして、上記した周知慣用の固着手段を参酌し、引用発明１において、「第１ランプ飾り１６ａ」（「盤面飾り」）の「遊技盤」への取り付けのための「複数の嵌合突起２４，２４…」（「複数の凸部」）の内の一つを、裏面側への突出量を他の凸部よりも長く成型することは、当業者が適宜に行うことであり、当該突出量が長い「嵌合突起２４」（「凸部」）として、引用発明１が備える、「第１ランプ飾り１６ａ」（「盤面飾り」）の長手方向端部近傍に設けられた「嵌合突起２４」（「凸部」）を選定することも、挿入（嵌合）する際の操作性等を考慮して当業者が適宜になし得る単なる設計事項にすぎない。
　そうすると、引用発明１が備える「第１ランプ飾り１６ａ」（「盤面飾り」）の長手方向端部近傍に設けられた「嵌合突起２４」（「凸部」）は、突出量が他の「嵌合突起２４」（「凸部」）よりも長く成型され、当該「嵌合突起２４」（「凸部」）は実質的に、本願補正発明における「第一の凸部」に相当するものとなる。
　　　　　　　　　　　　　　　　　　　　　　　　　　　　　　　　　
　相違点(B)について
　一方の部材に形成した複数の凸部を、他方の部材の取付孔に嵌合することで両部材を相互に固着する、部材の固着手段において、上記した複数の凸部の内の一つの凸部の裏面側への突出量を他の凸部よりも長く成型することで、当該一つの凸部を、取付孔に嵌合する際のガイドとすることは、例えば、上記引用発明２における「ガイド棒(5)」や、同じく上記周知例における「連結軸（第１の凸部）４５」に示されるように周知慣用の固着手段であることは「相違点(A)について」に記載したとおりであり、実際の取り付けに際しては、一方の部材に形成した複数の凸部の内の、他の凸部よりも長く成型した一つの凸部をガイドとして他方の部材の取付孔に嵌合することに加えて、当該凸部を支点として一方の部材を回転して、一方の部材における他の凸部を他方の部材の取付孔に合致させ、当該他の凸部を、他方の部材の上記取付孔に嵌合することが一般的であり、程度の差はあるとしても、「嵌合」に際しては「回転」が伴うものである。
　すなわち、上記引用発明２は、「シャーシ(6)の貫通孔(9)にガイド棒(5)を貫通せしめてシャーシの位置決めを行い、しかる後、シャーシ(6)をコントロールボックス（シャーシ取付板）(1)に押圧せしめると、コントロールボックス裏面上の弾力性爪部(4)がシャーシ(6)の窓部(8)に挿入係止せられ」るものであり、「ガイド棒(5)」を「貫通せしめ」た後に「ガイド棒(5)」を支点として「コントロールボックス」を若干回動して「弾力性爪部(4)」を「シャーシ(6)の窓部(8)」に合致させることで実体的な「位置決め」が成されるものといえる。
　また、上記周知例は、「各係合部材２４または２５を駆動フランジ２３に組付ける」際に、「長い方の連結軸（第１の凸部）４５を連結孔（第１の凹部）４２に係入」し、「次いで長い方の連結軸（第１の凸部）４５を中心として係合部材２４または２５を回転させ」て両者の「係合関係」を満たした後に、「受動ピン（第２の凸部）４６」を「駆動孔（第２の凹部）４４」に「係入」するものである。
　そして、上記した周知慣用の固着手段を参酌し、引用発明１における「第１ランプ飾り１６ａ」（「盤面飾り」）を遊技盤へ取り付ける際に、突出量が他の「嵌合突起２４」（「凸部」）よりも長く成型した「嵌合突起２４」（「相違点(A)について」に記載した、本願補正発明における「第一の凸部」に相当するもの。）を、遊技盤上の複数の「嵌合孔２３」（「取付孔」）の内の一つに「挿入」（「嵌合」）し、当該「嵌合突起２４」（「第一の凸部」）を支点として回転し、前記「嵌合突起２４」（「第一の凸部」）以外の「嵌合突起２４」（「凸部」）を前記「嵌合孔２３」（「取付孔」）に「挿入」（「嵌合」）することで「第１ランプ飾り１６ａ」（「盤面飾り」）を遊技盤へ取り付けることは、当業者にとって想到容易というべきである。
　ここで、ガイドレールは、通常弾性金属板により形成される（必要あれば、特開平１１−２０６９７２号公報（段落【００１０】）、特開平１１−２３９６３５号公報（段落【００１６】）、特開平８−２５２３６９号公報（段落【００２７】【００３４】））ものであり、引用発明１において、「第１ランプ飾り１６ａ」が「遊技盤」へ取り付けられた後には、「第１ランプ飾り１６ａ」の「円弧状に形成され」た「内側」の面に「ガイドレール７の外側面」が「沿うように」配置される（摘示1-c,1-d）ことを考慮すると、「第１ランプ飾り１６ａ」（「盤面飾り」）が「遊技盤」へ取り付けられる前は、ガイドレールの端部が自由端として「第１ランプ飾り１６ａ」（「盤面飾り」）側に付勢された状態にあることが明らかであり、取り付けに際して、「相違点(A)について」に記載した、突出量を相対的に長く成型した「嵌合突起２４」（「第一の凸部」）を回転させると、「第１ランプ飾り１６ａ」（「盤面飾り」）の側面は上記した、ガイドレールの端部に当接して端部を押圧することもまた明らかである。
　以上より、相違点(B)に係る構成を得ることに格別な技術的困難性は認められない。
                                     　　　　　　　　　　　　　　
　そして、相違点(A)及び(B)に係る発明特定事項を備えた本願補正発明の効果も、引用発明１並びに、引用発明２及び周知例に例示される周知慣用の固着手段が本来奏する効果から当業者が予測し得る範囲内のものであって、格別顕著なものとはいえない。
　　　　　　　　　　　　　　　　　　　　　　　　　　　　　　　　　
　したがって、本願補正発明は、引用発明１並びに、引用発明２及び周知例に例示される周知慣用の固着手段に基いて、当業者が容易に発明をすることができたものであるから、特許法第２９条第２項の規定により、特許出願の際独立して特許を受けることができない。　　　　　　　　　　　　　　
　　　　　　　　　　　　　　　　　　　　　　　　　　　　　　　　　
（４）むすび
　以上のとおり、本件補正は、平成１８年改正前の特許法第１７条の２第５項において準用する同法第１２６条第５項の規定に違反するものであり、特許法第１５９条第１項の規定において読み替えて準用する同法第５３条第１項の規定により却下されるべきものである。
　　　　　　　　　　　　　　　　　　　　　　　　　　　　　　　　　
３．本願発明について
　平成１６年１０月２０日付けの手続補正は上記のとおり却下されたので、本願の請求項１に係る発明（以下、「本願発明」という。）は、平成１６年７月１６日付け手続補正書の特許請求の範囲の請求項１に記載された事項により特定される、以下のとおりのものである。
「遊技盤の表面に盤面飾りが取り付けられる盤面飾り取付構造であって、
　前記遊技盤の表面には、
　発射された遊技球を案内するガイドレールと、
　前記盤面飾りを取り付けるための複数の取付孔とが設けられ、
　前記盤面飾りの裏面には前記取付孔に嵌合する複数の凸部が設けられ、
　当該複数の凸部の内の一つである第一の凸部が、前記盤面飾りの長手方向端部近傍に設けられ、且つ、前記盤面飾りの裏面側への前記第一の凸部の突出量が他の凸部よりも長く成型され、
　前記第一の凸部が、前記遊技盤上の複数の取付孔の内の一つに嵌合され、前記盤面飾りが前記第一の凸部を支点として回転され、当該盤面飾りの側面が前記ガイドレールの端部に当接し、且つ前記第一の凸部以外の他の凸部が前記取付孔に嵌合されることで、前記盤面飾りが前記遊技盤に取り付けられることを特徴とする盤面飾り取付構造。」
　　　　　　　　　　　　　　　　　　　　　　　　　　　　　　　　　
（１）引用発明
　原査定の拒絶の理由に引用された各引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明における、「前記ガイドレールの端部に当接して前記ガイドレールの端部を押圧し」を「前記ガイドレールの端部に当接し」と、より広義な概念で特定するものである。
　そうすると、本願補正発明における発明特定事項を全て含み、さらに他の発明特定事項を付加したものに相当する本願補正発明が、前記「２．（３）」に記載したとおり、引用発明１並びに、引用発明２及び周知例に例示される周知慣用の固着手段に基いて、当業者が容易に発明をすることができたものであるから、限定事項を省いてより広義な概念で特定される本願発明も、引用発明１並びに、引用発明２及び周知例に例示される周知慣用の固着手段に基いて当業者が容易に発明をすることができたものである。
　　　　　　　　　　　　　　　　　　　　　　　　　　　　　　　　　
（３）むすび
　以上のとおり、本願発明は、特許法第２９条第２項の規定により特許を受けることができない。
　よって、本願の他の請求項について論じるまでもなく、結論のとおり審決する。